(57)【特許請求の範囲】
【請求項１】
放射線を発生する放射線発生手段と、
前記放射線発生手段によって発生され被写体を透過した放射線を画像として検出する画像検出手段と、
同一の被写体を連続して複数回撮影する場合に、前記複数回の撮影における撮影時間間隔を、設定された被写体の撮影部位に応じて変更すると共に、設定された被写体の撮影部位に拘わらず、各回の撮影における放射線の線量が単調増加するように前記放射線発生手段を制御する制御手段と、
を含む放射線画像撮影装置。
【請求項２】
放射線を発生する放射線発生手段と、
前記放射線発生手段によって発生され被写体を透過した放射線を画像として検出する画像検出手段と、
同一の被写体を連続して複数回撮影する場合に、前記複数回の撮影における撮影時間間隔を、設定された被写体の撮影部位に応じて変更すると共に、設定された被写体の撮影部位に拘わらず、各回の撮影における放射線の管電圧が単調増加するように前記放射線発生手段を制御する制御手段と、
を含む放射線画像撮影装置。
【請求項３】
前記制御手段は、１回目の撮影で得られた画像を診断用画像として出力するか、２回目の撮影で得られた画像を診断用画像として出力するかを、設定された被写体の撮影部位に応じて切り替えることを特徴とする請求項２記載の放射線画像撮影装置。
【請求項４】
複数回の撮影における撮影時間間隔の設定値を被写体の撮影部位毎に記憶する記憶手段を更に備え、
前記制御手段は、前記設定された被写体の撮影部位に対応する撮影時間間隔の設定値を前記記憶手段から読み出し、撮影時間間隔の制御に用いることを特徴とする請求項１又は請求項２記載の放射線画像撮影装置。
【請求項５】
前記制御手段は、指示手段を介して撮影時間間隔の変更が指示された場合に、前記記憶手段から読み出した撮影時間間隔の設定値を前記指示に応じて変更し、変更後の設定値を撮影時間間隔の制御に用いることを特徴とする請求項４記載の放射線画像撮影装置。
【請求項６】
前記記憶手段には、複数回の撮影のうちの各回の撮影における撮影条件を規定するパラメータも被写体の撮影部位毎に各々記憶されており、
前記制御手段は、前記設定された被写体の撮影部位に対応する前記パラメータを前記記憶手段から読み出し、複数回の撮影のうちの各回の撮影における撮影条件の制御に用いることを特徴とする請求項４記載の放射線画像撮影装置。
【請求項７】
前記制御手段は、前記複数回の撮影のうちの特定の回の撮影における撮影条件の変更が指示手段を介して指示された場合に、前記記憶手段から読み出したパラメータが規定する前記特定の回の撮影における撮影条件を変更すると共に、前記複数回の撮影のうち前記特定の回以外の回の撮影における撮影条件も、前記特定の回の撮影における変更後の撮影条件に応じて変更することを特徴とする請求項６記載の放射線画像撮影装置。
【請求項８】
前記撮影条件には前記放射線発生手段における管電圧が含まれており、
前記制御手段は、前記特定の回における前記管電圧を変更した場合に、各回の撮影における前記管電圧の差が、前記記憶手段から読み出したパラメータが規定する前記管電圧の差よりも小さくならないように、前記特定の回以外の回の撮影における前記管電圧も変更することを特徴とする請求項７記載の放射線画像撮影装置。
【請求項９】
各回の撮影の間に、前記画像検出手段によって検出された画像を前記画像検出手段から取得しながら、取得画像の画質を向上させるための画質補正処理を行う取得・補正手段を更に備え、
前記制御手段は、前記取得・補正手段によって前記画質補正処理を行わせるか否かを、前記設定された被写体の撮影部位に応じて切り替えることを特徴とする請求項１又は請求項２記載の放射線画像撮影装置。
【請求項１０】
各回の撮影の間に、前記画像検出手段によって検出された画像を前記画像検出手段から取得しながら、取得画像の画質を向上させるための画質補正処理を行う取得・補正手段を更に備え、
前記制御手段は、前記取得・補正手段によって前記画質補正処理を行わせるか否かを、複数回の撮影のうちの各回の撮影を単位として切り替えることを特徴とする請求項１又は請求項２記載の放射線画像撮影装置。
【請求項１１】
前記画像検出手段には、第１信号配線を介して供給されるオンオフ信号に応じてオンオフされるスイッチング手段及び照射放射線量に応じた信号電荷を保持する保持部を各々備えた複数の画素部が設けられており、
前記取得・補正手段は、前記画質補正処理として、第２信号配線から出力される信号を前記スイッチング手段のオン時及びオフ時について各々取得し、前記オン時の出力信号から前記オフ時の出力信号を減ずるリーク補正処理、及び、出力信号のデジタルデータへの変換を複数回行って平均化する電気ノイズ抑制処理の少なくとも一方を行うことを特徴とする請求項９又は請求項１０記載の放射線画像撮影装置。
【発明の詳細な説明】
【技術分野】
【０００１】
本発明は放射線画像撮影装置に係り、特に、被写体を透過した放射線を画像として検出すると共に、同一の被写体を連続して複数回撮影する機能を備えた放射線画像撮影装置に関する。
【背景技術】
【０００２】
放射線画像の撮影において、被撮影者の同一の部位を異なる管電圧で撮影し、各管電圧での撮影によって得られた画像に重みを付けて差分を演算することで、画像中の骨部等の硬部組織に相当する画像部及び軟部組織に相当する画像部の一方を強調して他方を除去した画像（エネルギーサブトラクション画像）を得る技術が知られている。
【０００３】
エネルギーサブトラクション画像の生成方法として、Ｘ線検出器に輝尽性発光体を用い、２枚の検出器の間に銅板などのフィルタを入れることで、１回の撮影により実質的に管電圧を変えた２枚の画像を得て、この画像からエネルギーサブトラクション画像を生成する技術が従来より知られている。
【０００４】
一方、半導体検出器を使ったＸ線撮像システムが使われるようになり、短時間でＸ線の連射が可能となり、連続的に２回撮影した画像を用いてエネルギーサブトラクション画像の生成が行われるようになってきた。しかし、半導体検出器では光導電効果により、１回目の撮影における画像情報が検出器に残り（以下、残像という）、２回目の撮影における画像に影響を及ぼすことがある。特許文献１には、連続する２回の撮影のうち、１回目の撮影を低線量で行い２回目の撮影を高線量で行うことで、光導電効果の影響を考慮しつつ２回の撮影の時間間隔を小さくする技術が開示されている。
【０００５】
また、特許文献２には、連続する２回の撮影のうち、１回目の撮影を低線量で行うと共に高速・低精細度モードで画像を読み出し、２回目の撮影を高線量で行うと共に低速・高精細度モードで画像を読み出すことで、２回の撮影の時間間隔を小さくして被検体の体動の影響（モーションアーチファクト）を低減する技術が開示されている。
【０００６】
また、特許文献３には、低線量で１回目の撮影を行って第１の画像データ集合を取得し、ゲインを低下させ画素取得分解能を増大させた後に、高線量で２回目の撮影を行って第２の画像データ集合を取得し、第１及び第２のオフセット画像を取得する構成が開示されている。
【０００７】
更に、上記に関連する技術として特許文献４には、患者の心周期を監視して第１の心拍トリガを見出し、第１の心拍トリガに応じて患者を第１のＸ線エネルギーで撮影して、第１のＸ線画像を形成すると共に、患者の心周期を監視して第２の心拍トリガを見出し、第２の心拍トリガに応じて患者を第２のＸ線エネルギーで撮影して、第２のＸ線画像を形成する技術が開示されている。
【特許文献１】特開２００２−２４３８６０号公報
【特許文献２】特開２００４−２６１４８９号公報
【特許文献３】特開２００３−２８４７１０号公報
【特許文献４】特開２００２−３２５７５６号公報
【発明の開示】
【発明が解決しようとする課題】
【０００８】
特許文献１〜４に記載の技術は、何れもエネルギーサブトラクション画像におけるモーションアーチファクトを低減する技術であり、特に特許文献１〜４に記載の技術は、複数回の撮影における撮影時間間隔をなるべく小さくすることでモーションアーチファクトを低減しているが、エネルギーサブトラクション画像を生成するために複数回の撮影を行って得られた画像に対しては、エネルギーサブトラクション画像の生成に限らず、診断等にも用いたいというニーズも存在している。しかし、診断等に使用可能な画像は高画質であることが要求されるのに対し、撮影時間間隔を小さくすることは特許文献２に記載の高速・低精細度モードのように画質の低下に繋がり、両者は相反する。
【０００９】
本発明は上記事実を考慮して成されたもので、同一の被写体を連続して複数回撮影する際に、モーションアーチファクトを低減しつつ、診断等に利用できる高画質の画像を得ることが可能な放射線画像撮影装置を得ることが目的である。
【課題を解決するための手段】
【００１０】
上記目的を達成するために請求項１記載の発明に係る放射線画像撮影装置は、放射線を発生する放射線発生手段と、前記放射線発生手段によって発生され被写体を透過した放射線を画像として検出する画像検出手段と、同一の被写体を連続して複数回撮影する場合に、前記複数回の撮影における撮影時間間隔を、設定された被写体の撮影部位に応じて変更すると共に、設定された被写体の撮影部位に拘わらず、各回の撮影における放射線の線量が単調増加するように前記放射線発生手段を制御する制御手段と、を含んで構成されている。
【００１１】
同一の被写体を連続して複数回撮影する場合、モーションアーチファクトの低減を考慮すると撮影時間間隔はなるべく短いことが望ましい。しかし、不随意筋によって働く心臓等の器官が撮影範囲内に入る胸部等の撮影ではモーションアーチファクトが大きな問題となるのに対し、随意筋によって動く部分を撮影範囲とする撮影では、撮影時間間隔が多少長くても別の手段（例えば撮影部位を外部から保持したり、被撮影者に対して撮影部位を動かさないように要請する等）でモーションアーチファクトを抑制可能であり、撮影時間間隔がモーションアーチファクトに及ぼす影響の度合いは被写体の撮影部位によって相違する。また、撮影時の放射線の線量が大きくなるに従って残像が顕著になり、撮影時間間隔が短いと次回の撮影に影響を及ぼすので、撮影時の放射線の線量が大きくなるに従って撮影時間間隔を長時間化する必要があるが、撮影時の放射線の線量の最適値は被写体の撮影部位によって相違する。また、エネルギーサブトラクション画像を得るために放射線の照射線量を相違させて複数回の撮影を行う場合に、低管電圧時の画像と高管電圧時の画像の何れが診断等への利用に適しているかについても被写体の撮影部位によって相違する。更に、異なる管電圧で複数回の撮影を行う場合、放射線発生手段に対する制御として短時間で管電圧を低下させることが難しいため、低管電圧→高管電圧で撮影することが望ましい。
【００１２】
このように、モーションアーチファクトの低減や画像の画質には撮影時間間隔が関係しているが、撮影時間間隔がモーションアーチファクトに及ぼす影響の度合いや、診断等に利用可能な画像の撮影における放射線の線量や管電圧は、被写体の撮影部位によって相違している。上記に基づき請求項１記載の発明では、同一の被写体を連続して複数回撮影する場合に、複数回の撮影における撮影時間間隔を、設定された被写体の撮影部位に応じて変更すると共に、設定された被写体の撮影部位に拘わらず、各回の撮影における放射線の線量が単調増加するように制御している。
【００１３】
これにより、例えば撮影時間間隔がモーションアーチファクトに及ぼす影響の度合いが大きい撮影部位については、撮影時間間隔を短くすることでモーションアーチファクトを低減し、診断等に利用可能な画像の撮影における放射線の線量が比較的大きい撮影部位については、撮影時間間隔を長くすることで高画質化を図ることが可能となる。また、前述のように、残像の影響を考慮すると、撮影時の放射線の線量が大きくなるに従って撮影時間間隔を長時間化する必要がある。これに対して請求項１記載の発明では、各回の撮影における線量が単調増加するように放射線発生手段を制御するので、ｎ回の撮影において放射線の線量が最大の撮影がｎ回目に行われることになり、ｎ−１個の撮影時間間隔の平均値が小さくなることでモーションアーチファクトを低減することができる。従って、請求項１記載の発明によれば、同一の被写体を連続して複数回撮影する際に、モーションアーチファクトを低減しつつ、診断等に利用できる高画質の画像を得ることが可能となる。
【００１４】
請求項２記載の発明に係る放射線画像撮影装置は、放射線を発生する放射線発生手段と、前記放射線発生手段によって発生され被写体を透過した放射線を画像として検出する画像検出手段と、同一の被写体を連続して複数回撮影する場合に、前記複数回の撮影における撮影時間間隔を、設定された被写体の撮影部位に応じて変更すると共に、設定された被写体の撮影部位に拘わらず、各回の撮影における放射線の管電圧が単調増加するように前記放射線発生手段を制御する制御手段と、を含んで構成されている。
【００１５】
請求項２記載の発明では、同一の被写体を連続して複数回撮影する場合に、請求項１記載の発明と同様に、複数回の撮影における撮影時間間隔を、設定された被写体の撮影部位に応じて変更するので、例えば撮影時間間隔がモーションアーチファクトに及ぼす影響の度合いが大きい撮影部位については、撮影時間間隔を短くすることでモーションアーチファクトを低減し、診断等に利用可能な画像の撮影における放射線の線量が比較的大きい撮影部位については、撮影時間間隔を長くすることで高画質化を図ることが可能となる。また請求項２記載の発明では、同一の被写体を連続して複数回撮影する場合に、設定された被写体の撮影部位に拘わらず、各回の撮影における放射線の管電圧が単調増加するように放射線発生手段を制御するので、ｎ−１個の撮影時間間隔の平均値を小さくできることでモーションアーチファクトを低減することができる。従って、請求項２記載の発明についても、同一の被写体を連続して複数回撮影する際に、モーションアーチファクトを低減しつつ、診断等に利用できる高画質の画像を得ることが可能となる。
【００１６】
また、請求項２記載の発明において、制御手段は、例えば請求項３に記載したように、１回目の撮影で得られた画像を診断用画像として出力するか、２回目の撮影で得られた画像を診断用画像として出力するかを、設定された被写体の撮影部位に応じて切り替えることが好ましい。
【００１７】
複数回の撮影によって得られる複数の画像のうち、胸部などではより高管電圧時の画像が診断用画像に適しており、腰椎や四肢骨などの部位では低管電圧時の画像が診断に適している。請求項３記載の発明により、撮影部位に応じて診断に適した画像を用いることができる。
【００１８】
また、請求項１又は請求項２記載の発明において、複数回の撮影における撮影時間間隔を設定された被写体の撮影部位に応じて変更することは、例えば請求項４に記載したように、複数回の撮影における撮影時間間隔の設定値を被写体の撮影部位毎に記憶する記憶手段を設け、制御手段を、設定された被写体の撮影部位に対応する撮影時間間隔の設定値を記憶手段から読み出し、撮影時間間隔の制御に用いるように構成することで実現することができる。
【００１９】
また、請求項４記載の発明において、制御手段は、例えば請求項５に記載したように、指示手段を介して撮影時間間隔の変更が指示された場合に、記憶手段から読み出した撮影時間間隔の設定値を前記指示に応じて変更し、変更後の設定値を撮影時間間隔の制御に用いるように構成することが好ましい。これにより、例えば被撮影者（被写体）の心周期を測定し、測定した心周期に近づくように撮影時間間隔を変更する等のように、モーションアーチファクトが更に低減されるように撮影時間間隔を調整することも可能となる。
【００２０】
また、請求項４記載の発明において、例えば請求項６に記載したように、記憶手段に、複数回の撮影のうちの各回の撮影における撮影条件を規定するパラメータも被写体の撮影部位毎に各々記憶しておき、制御手段を、設定された被写体の撮影部位に対応するパラメータを記憶手段から読み出し、複数回の撮影のうちの各回の撮影における撮影条件の制御に用いるように構成してもよい。なお、上記の撮影条件には、例えば放射線発生手段における管電圧、管電流、放射線発生時間、被写体との距離の少なくとも１つが含まれる。
【００２１】
また、請求項６記載の発明において、制御手段は、例えば請求項７に記載したように、複数回の撮影のうちの特定の回の撮影における撮影条件の変更が指示手段を介して指示された場合に、記憶手段から読み出したパラメータが規定する特定の回の撮影における撮影条件を変更すると共に、複数回の撮影のうち前記特定の回以外の回の撮影における撮影条件も、特定の回の撮影における変更後の撮影条件に応じて変更することが好ましい。放射線画像の撮影では、例えば被撮影者（被写体）の体格等によっては撮影条件を変更する必要があるが、請求項７記載の発明では、指示手段を介して特定の回の撮影における撮影条件の変更を指示すると、特定の回以外の回の撮影における撮影条件が連動して変更されるので、複数回の撮影における各回の撮影の撮影条件の変更を容易に行うことができる。
【００２２】
また、エネルギーサブトラクション画像の生成では、エネルギーサブトラクション画像の生成に用いる複数の画像の撮影時の管電圧の差が大きい方がコントラストの高い適正な画質のエネルギーサブトラクション画像が得られることを考慮すると、請求項７記載の発明において、放射線発生手段における管電圧が撮影条件に含まれている場合、制御手段は、例えば請求項８に記載したように、特定の回における管電圧を変更した場合に、各回の撮影における管電圧の差が、記憶手段から読み出したパラメータが規定する管電圧の差よりも小さくならないように、特定の回以外の回の撮影における前記管電圧も変更するように構成することが好ましい。
【００２３】
これにより、複数回の撮影のうち特定の回の撮影における管電圧の変更が指示された場合にも、エネルギーサブトラクション画像の生成において、生成されるエネルギーサブトラクション画像の画質が低下しないように、特定の回以外の回の撮影における管電圧が連動して変更されることになり、特定の回の撮影における管電圧の変更が指示された場合のエネルギーサブトラクション画像の画質低下を未然に防止することができる。
【００２４】
また、請求項１又は請求項２記載の発明において、各回の撮影の間に、画像検出手段によって検出された画像を画像検出手段から取得しながら、取得画像の画質を向上させるための画質補正処理を行う取得・補正手段が設けられている場合、制御手段は、例えば請求項９に記載したように、取得・補正手段によって画質補正処理を行わせるか否かを、設定された被写体の撮影部位に応じて切り替えるように構成することが好ましい。上記の取得・補正手段が画質補正処理を行う場合は取得画像が高画質化される一方、画像検出手段からの画像の取得に時間が掛るので、次回の撮影迄の撮影時間間隔は長時間化することになり、被写体の撮影部位によっては、モーションアーチファクトによってエネルギーサブトラクション画像の画質低下が生ずることになる。
【００２５】
これに対して請求項９記載の発明では、取得・補正手段によって画質補正処理を行わせるか否かを被写体の撮影部位に応じて切り替えるので、例えば撮影時間間隔がモーションアーチファクトに及ぼす影響の度合いが大きい撮影部位については、診断等に用いない画像の撮影時に、取得・補正手段による画質補正処理を行わせないようにして撮影時間間隔を短くすることでモーションアーチファクトを低減する一方、診断等に利用可能な画像の撮影における放射線の線量が比較的大きい撮影部位については、少なくとも診断等に用いる画像の撮影時に、撮影時間間隔を長くして取得・補正手段による画質補正処理を行わせることで高画質化を図ることが可能となり、画質補正処理を行わせるか否かを被写体の撮影部位に応じて最適化することができる。
【００２６】
また、請求項１又は請求項２記載の発明において、各回の撮影の間に、前記画像検出手段によって検出された画像を前記画像検出手段から取得しながら、取得画像の画質を向上させるための画質補正処理を行う取得・補正手段が設けられている場合、制御手段は、例えば請求項１０に記載したように、取得・補正手段によって画質補正処理を行わせるか否かを、複数回の撮影のうちの各回の撮影を単位として切り替えるように構成することが好ましい。これにより、取得・補正手段によって画質補正処理を行わせるか否かを、撮影された画像毎に設定・切替えることが可能となり、コマ送り様の動画（セミ動画）撮影などにおいて、撮影間隔を重視した撮影を行ったり、画質を重視した撮影を行うことが可能となる。
【００２７】
また、請求項９又は請求項１０記載の発明において、画像検出手段が、第１信号配線を介して供給されるオンオフ信号に応じてオンオフされるスイッチング手段及び照射放射線量に応じた信号電荷を保持する保持部を各々備えた複数の画素部が設けられた構成である場合、取得・補正手段による画質補正処理としては、例えば請求項１１に記載したように、第２信号配線から出力される信号をスイッチング手段のオン時及びオフ時について各々取得し、オン時の出力信号からオフ時の出力信号を減ずるリーク補正処理や、出力信号のデジタルデータへの変換を複数回行って平均化する電気ノイズ抑制処理を適用することができる。
【発明の効果】
【００２８】
以上説明したように本発明は、同一の被写体を連続して複数回撮影する場合に、複数回の撮影における撮影時間間隔を、設定された被写体の撮影部位に応じて変更すると共に、設定された被写体の撮影部位に拘わらず、各回の撮影における放射線の線量が単調増加するように制御するので、同一の被写体を連続して複数回撮影する際に、モーションアーチファクトを低減しつつ、診断等に利用できる高画質の画像を得ることが可能となる、という優れた効果を有する。
また本発明は、同一の被写体を連続して複数回撮影する場合に、複数回の撮影における撮影時間間隔を、設定された被写体の撮影部位に応じて変更すると共に、設定された被写体の撮影部位に拘わらず、各回の撮影における放射線の管電圧が単調増加するように制御するので、同一の被写体を連続して複数回撮影する際に、モーションアーチファクトを低減しつつ、診断等に利用できる高画質の画像を得ることが可能となる、という優れた効果を有する。
【発明を実施するための最良の形態】
【００２９】
以下、図面を参照して本発明の実施形態の一例を詳細に説明する。図１には本実施形態に係る放射線画像撮影システム１０が示されている。放射線画像撮影システム１０は、放射線（例えばエックス線（Ｘ線）等）を発生する放射線発生部１２と、放射線発生部１２と間隔を隔てて配置された放射線検出パネル１４と、マイクロコンピュータや各種の電気回路を含んで構成され放射線検出パネル１４から画像情報を取得して各種の処理を行う制御装置１６を備えている。放射線発生部１２と放射線検出パネル１４の間は、撮影時に被写体１８が位置する撮影位置とされ、放射線発生部１２から射出され撮影位置に位置している被写体１８を透過することで画像情報を担持した放射線は放射線検出パネル１４に照射される。
【００３０】
なお、本実施形態に係る放射線画像撮影システム１０は本発明に係る放射線画像撮影装置に対応しており、放射線発生部１２は本発明に係る放射線発生手段に、放射線検出パネル１４は本発明に係る画像検出手段（詳しくは請求項１１に記載の画像検出手段）に、制御装置１６の制御部２４(後述)は本発明に係る制御手段（詳しくは請求項１〜請求項９に記載の制御手段）に各々対応している。
【００３１】
制御装置１６は、放射線発生制御部２０、信号検出補正部２２、制御部２４、画像等を表示可能なディスプレイ２６、及び、キーボード等の入力デバイスやマウス等のポインティングデバイスを含む操作パネル２８を備えている。放射線発生制御部２０は放射線発生部１２及び制御部２４に接続されており、制御部２４からの指示に応じて、放射線発生部１２による放射線発生時の管電圧、管電流及び放射線発生時間を制御することで、放射線発生部１２によって発生される放射線の線量等を制御する。また、信号検出補正部２２については詳細は後述するが、被写体１８が撮影される毎に、放射線検出パネル１４から画像信号を読み出してデジタルの画像データへ変換すると共に、変換によって得られた画像データに対してリーク補正処理や電気ノイズ抑制処理等の画質補正処理（詳細は後述）を行う。
【００３２】
制御部２４はマイクロコンピュータ等から成り、操作パネル２８を介して入力された指示に応じて被写体１８の撮影を制御したり、信号検出補正部２２から入力された画像データを用いてエネルギーサブトラクション画像の生成等の画像処理を行ったり、ディスプレイ２６及び操作パネル２８を介して所定のユーザＩ／Ｆを提供するための処理等を行う。また、制御部２４はＨＤＤ(Hard Disk Drive)やフラッシュメモリ等から成る不揮発性の記憶部２４Ａを備えており、この記憶部２４Ａには撮影条件情報ＤＢ(データベース)が記憶されている。なお、撮影条件情報ＤＢの内容については後述する。また、記憶部２４Ａには、制御部２４が後述する連続撮影処理を行うためのプログラムも記憶されている。
【００３３】
また、放射線画像撮影システム１０は撮影部位移動部３０を備えている。撮影部位移動部３０は、放射線発生部１２及び放射線検出パネル１４を移動可能なアクチュエータ等から成り、被写体１８のうちの撮影対象の部位（撮影部位：例えば胸部や腰椎、四肢骨、乳房等）が制御装置１６から通知されると、被写体１８のうち通知された撮影部位を撮影するための位置へ放射線発生部１２及び放射線検出パネル１４を移動させる。なお、被写体１８のうちの或る撮影部位を撮影するための放射線発生部１２及び放射線検出パネル１４の位置は、被写体１８の体格等によっても相違するので、撮影部位移動部３０は、操作パネル２８を介して撮影位置の調整が指示されると、当該指示に応じて放射線発生部１２及び放射線検出パネル１４の位置を調整するように構成されている。
【００３４】
次に、放射線検出パネル１４及び信号検出補正部２２の構成を説明する。放射線検出パネル１４は、図２に示すＴＦＴアクティブマトリクス基板３４上に、放射線を吸収して電荷に変化する光電変換層（図示省略）が形成され、更にその上方に、高圧電源に接続されたバイアス電極（図示省略）が形成されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。これにより、照射された放射線が担持している画像情報が電荷情報へ変換されることになる。
【００３５】
また、ＴＦＴアクティブマトリクス基板３４上には、光電変換層で発生された電荷を蓄積する蓄積容量３６と、蓄積容量３６に蓄積された電荷を読み出すためのＴＦＴ３８を備えた画素部４０（なお、図２では個々の画素部４０に対応するバイアス電極及び光電変換層を光電変換部４２として模式的に示している）がマトリクス状に多数個配置されており、更に、図２の矢印Ａ方向に沿って延設され個々の画素部４０のＴＦＴ３８をオンオフさせるための複数本のゲート配線４４と、図２の矢印Ａ方向と直交する矢印Ｂ方向に沿って延設されオンされたＴＦＴ３８を介して蓄積容量３６から蓄積電荷を読み出すための複数本のデータ配線４６も設けられている。
【００３６】
一方、信号検出補正部２２は、放射線検出パネル１４の個々のゲート配線４４に各々接続されたゲート線ドライバ４８を備えている。ゲート線ドライバ４８は、放射線検出パネル１４からの信号電荷の読出時に、特定のゲート配線４４にハイレベルの電圧信号(オン信号)を供給することで、オン信号を供給したゲート配線４４に接続されている各画素部４０のＴＦＴ３８をオフからオンへ変化させ、一定時間後に、上記ゲート配線４４へのオン信号の供給を停止することで、オン信号を供給していたゲート配線４４に接続されている各画素部４０のＴＦＴ３８をオンからオフへ変化させるゲート線駆動処理を、個々のゲート配線４４に対して順に行う。
【００３７】
また信号検出補正部２２は、ＴＦＴアクティブマトリクス基板３４に設けられたデータ配線４６の数と同数のオペアンプ５０を備えており、放射線検出パネル１４の個々のデータ配線４６は互いに異なるオペアンプ５０の反転入力端に各々接続されている。個々のオペアンプ５０は、非反転入力端がＧＮＤ配線(接地配線)に各々接続されており、反転入力端にコンデンサ５２の一端が各々接続され、コンデンサ５２の他端は出力端に接続されている。上記構成により、個々のオペアンプ５０及びコンデンサ５２は、反転入力端に接続されたデータ配線４６を流れる電流(信号電荷)を積分し、積分結果に相当するレベルの信号を出力するチャージアンプとして機能する。
【００３８】
個々のオペアンプ５０(チャージアンプ)の出力端は、図示しない増幅器、サンプルホールド回路を介し、マルチプレクサ(ＭＵＸ)５４の複数個の入力端の何れかに各々接続されており、個々のチャージアンプの出力信号はＭＵＸ５４に並列に入力される。ＭＵＸ５４の出力端はＡ／Ｄ変換器５６の入力端に接続されており、ＭＵＸ５４は複数個の入力端を順に選択し、選択した入力端を介して入力された信号をＡ／Ｄ変換器５６へ出力する。これにより、ＭＵＸ５４に並列に入力された複数(データ配線４６の数と同数)の信号に対し、パラレル−シリアル変換及びＡ／Ｄ変換（アナログ−デジタル変換）が順に行われることになる。
【００３９】
Ａ／Ｄ変換器５６の出力端は画質補正処理部５８の入力端に接続されており、画質補正処理部５８の出力端は制御部２４(図１参照)の入力端に接続されている。画質補正処理部５８は、画像の画質を向上させるための画質補正処理としてリーク補正処理及び電気ノイズ抑制処理を行った後に、画質補正処理後のデータ（画像データ）を制御部２４へ出力する。
【００４０】
本実施形態に係る放射線検出パネル１４は、大線量の放射線が照射された際にＴＦＴ３８を保護するために、放射線が照射されることで個々の画素部４０の蓄積容量３６に蓄積された電荷を、リーク電流としてデータ配線４６へ積極的に流す構成を採用している。このため、ゲート線ドライバ４８が何れのゲート配線４４にもオン信号を供給していない期間にはデータ配線４６にリーク電流のみが流れ、ゲート線ドライバ４８が何れかのゲート配線４４にオン信号を供給している期間には、蓄積容量３６に蓄積されている信号電荷に相当する電流にリーク電流が重畳された電流がデータ配線４６を流れる。また、データ配線４６を流れるリーク電流は時間経過に伴って減衰していき０になる。このため、データ配線４６を流れる電流をチャージアンプによって積分した結果をそのまま画像として用いた場合、画像中の大線量照射領域から上下方向に伸びる帯状の画質欠陥(アーチファクト)が生ずる（この現象は尾引きともいう）。
【００４１】
このため画質補正処理部５８は、チャージアンプに対し、データ配線４６を流れる電流(信号電荷)の積分を、個々のゲート配線４４毎に、ＴＦＴ３８がオンしているオン期間及びＴＦＴ３８がオンしていないオフ期間について各々行わせ、オン期間のデータからオフ期間のデータを減算することでリーク電流の影響を補正するリーク補正を行う。なお、上記のようにオン期間のデータからオフ期間のデータを単に減算する処理は、電気ノイズが√２倍に増大したり、画像の一部に白抜け状の画質欠陥(アーチファクト)が生ずるという弊害があるので、オフ期間のデータの移動平均値（例えば主走査方向(ゲート配線４４の方向)及び副走査方向(データ配線４６の方向)に数画素程度の範囲の移動平均値）を演算し、このオフ期間のデータの移動平均値をオン期間のデータから減算するようにしてもよい。
【００４２】
また画質補正処理部５８は、Ａ／Ｄ変換器５６に同一のアナログ信号を複数回入力させて同一のアナログ信号に対するＡ／Ｄ変換を複数回行わせ、各回のＡ／Ｄ変換によって得られたデジタルデータの平均値を画像データとして出力する電気ノイズ抑制処理を行う。この電気ノイズ抑制処理により、Ａ／Ｄ変換器５６によるＡ／Ｄ変換時にデジタルデータに加わるランダムなノイズが抑制される。
【００４３】
但し、画質補正処理部５８が先のリーク補正処理を行った場合は、リーク補正処理を行わない場合と比較して、放射線検出パネル１４からの画像の読み出しを開始してから制御部２４へ画像データを出力する迄の所要時間（読出補正時間）が２倍となり、画質補正処理部５８がＡ／Ｄ変換を４回行わせる電気ノイズ抑制処理を行った場合は、当該電気ノイズ抑制処理を行わない場合と比較して読出補正時間が４倍となる。このため、本実施形態に係る画質補正処理部５８は、リーク補正処理及び電気ノイズ抑制処理を行うか否かを切替可能とされており、制御部２４から実行が指示された場合にのみリーク補正処理及び電気ノイズ抑制処理を行う。なお、上記の画質補正処理部５８を含む信号検出補正部２２は請求項９（詳しくは請求項１１）に記載の取得・補正手段に対応している。
【００４４】
次に本実施形態の作用を説明する。本実施形態において、制御部２４の記憶部２４Ａに記憶されている撮影条件情報ＤＢには、例として次の表１に示すように、エネルギーサブトラクション画像を生成するための複数回（たとえば２回）の撮影における撮影時間間隔、各回の撮影における放射線発生部１２の管電圧及び画質補正処理の有無、何れの回の画像を診断用画像として出力するか等の情報が、放射線画像撮影システム１０によって撮影可能な被写体１８の個々の撮影部位毎に予め記憶されている。
【００４５】
【表１】
0005042887.tif 000002
【００４６】
なお、表１における「診断用画像」の「１回目」は１回目の撮影で得られた画像を、「２回目」は２回目の撮影で得られた画像を、診断用画像として出力することを意味している。このように、記憶部２４Ａは請求項４（詳しくは請求項６）に記載の記憶手段に対応している。
【００４７】
次に、利用者によって操作パネル２８が操作されることで、エネルギーサブトラクション画像の生成のための複数回の撮影が指示された場合に制御部２４で行われる連続撮影処理について、図３を参照して説明する。
【００４８】
この連続撮影処理では、まずステップ１００において、例として図４に示すような撮影条件設定画面をディスプレイ２６に表示させる。図４に示すように、本実施形態に係る撮影条件設定画面には、撮影部位の設定及び表示をするための設定・表示欄７０と、１回目の撮影における放射線発生部１２の管電圧の表示及び変更設定をするための設定・表示欄７２と、撮影時間間隔の表示及び変更設定をするための設定・表示欄７４と、２回目の撮影における放射線発生部１２の管電圧の表示及び変更設定をするための設定・表示欄７６と、撮影の開始を指示するためのボタン７８が各々設けられ、撮影部位の選択、必要時の撮影条件の変更、及び、「撮影」の指示を要請するメッセージ８０が表示されて構成されている。なお、ディスプレイ２６に撮影条件設定画面が表示された当初は、設定・表示欄７０〜７８は何れも空欄とされている。
【００４９】
次のステップ１０２では利用者によって撮影部位が設定されたか否か判定し、判定が肯定される迄ステップ１０２を繰り返す。利用者は、ディスプレイ２６に表示された撮影条件設定画面を確認し、この画面内に表示されているメッセージ８０を参照することで、撮影部位の設定が必要であることを認識すると、これから撮影を行おうとしている撮影部位を設定・表示欄７０に設定する操作を操作パネル２８を介して行う。当該操作が利用者によって行われるとステップ１０２の判定が肯定されてステップ１０４へ移行し、利用者によって設定・表示欄７０内に設定された撮影部位を認識し、撮影部位移動部３０により、認識した撮影部位を撮影可能な位置へ放射線発生部１２及び放射線検出パネル１４を移動させる。
【００５０】
またステップ１０６では、ステップ１０４で認識した撮影部位（利用者によって設定された撮影部位）に対応する撮影条件情報を撮影条件情報ＤＢからメモリに読み込み、読み込んだ撮影条件情報のうち、１回目の撮影における放射線発生部１２の管電圧を画面内の設定・表示欄７２に表示させ、撮影時間間隔を画面内の設定・表示欄７４に表示させ、２回目の撮影における放射線発生部１２の管電圧を画面内の設定・表示欄７６に表示させる。これにより、表示されている撮影条件設定画面を参照することで、利用者が現在の撮影条件（１回目及び２回目の撮影における放射線発生部１２の管電圧、撮影時間間隔）を認識することができる。
【００５１】
ステップ１０８では利用者によって撮影の開始が指示されたか否か判定する。判定が否定された場合はステップ１１０へ移行し、利用者により、１回目又は２回目の撮影での管電圧の変更が指示されたか否か判定する。この判定も否定された場合はステップ１１２へ移行し、利用者によって撮影時間間隔の変更が指示されたか否か判定する。この判定も否定された場合はステップ１０８に戻り、何れかの判定が肯定される迄ステップ１０８〜ステップ１１２を繰り返す。
【００５２】
表示されている撮影条件設定画面を参照することで現在の撮影条件を認識した利用者が、例えば被写体１８（被撮影者）の体格等に基づき、放射線発生部１２の管電圧を変更する必要があると判断した場合、利用者によって操作パネル２８が操作されることで、設定・表示欄７２内に表示されている１回目の撮影での管電圧又は設定・表示欄７６内に表示されている２回目の撮影での管電圧が変更される。利用者によって上記操作が行われた場合は、利用者によって管電圧の変更が指示されたと判断し、ステップ１１０の判定が肯定されてステップ１１４へ移行し、撮影条件情報ＤＢから読み込んでメモリに保持している撮影条件情報のうち、利用者から変更が指示された１回目又は２回目の撮影での管電圧を変更設定する。
【００５３】
また次のステップ１１６では、ステップ１１４における管電圧の変更設定に伴い、１回目の撮影での管電圧と２回目の撮影での管電圧との差が小さくなったか否か判定する。先の表１に示すように、本実施形態では、撮影部位に拘わらず１回目の撮影での管電圧を２回目の撮影での管電圧よりも小さくしている（各回の撮影における放射線の線量が単調増加するように管電圧を設定している）ので、ステップ１１６の判定は、１回目の撮影での管電圧が利用者によって増加されるか、又は、２回目の撮影での管電圧が利用者によって減少された場合に肯定される。
【００５４】
ステップ１１６の判定が肯定された場合、利用者による管電圧の変更は、１回目の撮影での管電圧と２回目の撮影での管電圧との差が小さくなる変更であり、エネルギーサブトラクション画像におけるコントラストの低下等の画質低下が生じる恐れがあるので、ステップ１１８へ移行し、１回目の撮影での管電圧及び２回目の撮影での管電圧のうちステップ１１４で未変更の管電圧を、１回目の撮影での管電圧と２回目の撮影での管電圧との差が撮影条件情報ＤＢに記憶されている撮影条件情報が表す管電圧の差と等しくなるように変更し（例えば１回目の撮影での管電圧が利用者によって増加された場合は２回目の撮影での管電圧も同量だけ増加させ、２回目の撮影での管電圧が利用者によって減少された場合は１回目の撮影での管電圧も同量だけ減少させる）、ステップ１０８に戻る。
【００５５】
これにより、利用者による管電圧の変更に伴い、エネルギーサブトラクション画像におけるコントラストの低下等の画質低下が生じることを防止することができる。また、１回目の撮影での管電圧及び２回目の撮影での管電圧の一方を利用者が変更すると、管電圧との差が小さくなる場合には他方も自動的に変更されるので、管電圧の変更にあたり、利用者がエネルギーサブトラクション画像におけるコントラストの低下等を意識する必要が無くなり、管電圧の変更を利用者が容易に行うことができる。
【００５６】
ステップ１１６の判定が否定された場合（１回目の撮影での管電圧が利用者によって減少されるか、又は、２回目の撮影での管電圧が利用者によって増加された場合）は、利用者による管電圧の変更は、１回目の撮影での管電圧と２回目の撮影での管電圧との差が大きくなる変更であり、エネルギーサブトラクション画像におけるコントラストの低下は生じないと判断できるので、何ら処理を行うことなくステップ１０８に戻る。なお、これに代えて、先のステップ１１８と同様に、１回目の撮影での管電圧及び２回目の撮影での管電圧のうちステップ１１４で未変更の管電圧を、１回目の撮影での管電圧と２回目の撮影での管電圧との差が撮影条件情報ＤＢに記憶されている撮影条件情報が表す管電圧の差と等しくなるように変更してもよい（例えば１回目の撮影での管電圧が利用者によって減少された場合は２回目の撮影での管電圧も同量だけ減少させ、２回目の撮影での管電圧が利用者によって増加された場合は１回目の撮影での管電圧も同量だけ増加させる）。
【００５７】
また、表示されている撮影条件設定画面を参照することで現在の撮影条件を認識した利用者が撮影時間間隔を変更する必要があると判断した場合、利用者によって操作パネル２８が操作されることで設定・表示欄７４内に表示されている撮影時間間隔が変更される。利用者によって上記操作が行われた場合には、利用者によって撮影時間間隔の変更が指示されたと判断し、ステップ１１２の判定が肯定されてステップ１２０へ移行し、撮影条件情報ＤＢから読み込んでメモリに保持している撮影条件情報のうちの撮影時間間隔を変更設定した後にステップ１０８へ戻る。
【００５８】
このように、本実施形態では撮影時間間隔も利用者による変更設定を可能としているので、例えば被写体１８（被撮影者）の胸部の撮影において、被撮影者の心周期を測定し、測定した心周期に近づくように利用者が撮影時間間隔を変更設定することが可能となり、この場合、エネルギーサブトラクション画像におけるモーションアーチファクトを低減することができる。
【００５９】
上記のように、必要に応じて撮影条件（管電圧や撮影時間間隔）の変更設定を指示する操作を行うことで、撮影条件設定画面内に表示されている撮影条件が適正であることを確認した利用者は、操作パネル２８を操作して画面内のボタン７８を選択する。ボタン７８が選択された場合は利用者によって撮影の開始が指示されたと判断し、ステップ１０８の判定が肯定されてステップ１２２へ移行する。ステップ１２２では、メモリに保持している現在の撮影条件情報のうち、１回目の撮影における画質補正処理の有無を表す情報を参照し、当該情報に基づき画質補正処理を行うか否かを画質補正処理部５８へ指示する。また、次のステップ１２４では、メモリに保持している現在の撮影条件情報に設定されている１回目の撮影における撮影条件（管電圧）を放射線発生制御部２０へ通知し、撮影の実行を指示する。
【００６０】
これにより、放射線発生制御部２０は、放射線発生部１２による放射線発生時の管電圧が制御部２４から通知された管電圧に一致するように制御しながら、放射線発生部１２で放射線を発生させる。放射線発生部１２で発生した放射線は、撮影位置に位置している被写体１８のうち利用者によって設定された撮影部位に照射され、当該撮影部位を透過し放射線検出パネル１４に入射され、放射線検出パネル１４の各画素部４０の蓄積容量３６に電荷として蓄積される。放射線発生部１２による放射線の発生が終了すると、信号検出補正部２２による放射線検出パネル１４（の各画素部４０の蓄積容量３６）からの画像情報（信号電荷）の読み出しが行われる。また、先のステップ１２２で画質補正処理部５８に対して画質補正処理の実行が指示されていた場合には、放射線検出パネル１４からの画像情報の読み出しと並行して画質補正処理部５８による画質補正処理も行われる。
【００６１】
次のステップ１２６では信号検出補正部２２から画像データを取得し、取得した画像データを１回目の撮影で得られた画像データとして記憶部２４Ａ等に記憶させる。またステップ１２８では、放射線発生部１２が１回目の撮影における放射線発生を行ってから、メモリに保持している現在の撮影条件情報に設定されている撮影時間間隔に相当する時間が経過したか否か判定し、判定が肯定される迄ステップ１２８を繰り返す。ステップ１２８の判定が肯定されるとステップ１３０へ移行し、メモリに保持している現在の撮影条件情報のうち、２回目の撮影における画質補正処理の有無を表す情報を参照し、当該情報に基づき画質補正処理を行うか否かを画質補正処理部５８へ指示する。また、ステップ１３２では、メモリに保持している現在の撮影条件情報に設定されている２回目の撮影における撮影条件（管電圧）を放射線発生制御部２０へ通知し、撮影の実行を指示する。
【００６２】
これにより、放射線発生制御部２０は、放射線発生部１２による放射線発生時の管電圧が制御部２４から通知された管電圧に一致するように制御しながら、放射線発生部１２で放射線を再度発生させる。放射線発生部１２で発生した放射線は、撮影位置に位置している被写体１８のうち１回目の撮影と同一の撮影部位に照射され、当該撮影部位を透過し放射線検出パネル１４に入射され、放射線検出パネル１４の各画素部４０の蓄積容量３６に電荷として蓄積される。放射線発生部１２による放射線の発生が終了すると、信号検出補正部２２による放射線検出パネル１４（の各画素部４０の蓄積容量３６）からの画像情報（信号電荷）の読み出しが行われる。また、先のステップ１３０で画質補正処理部５８に対して画質補正処理の実行が指示されていた場合には、放射線検出パネル１４からの画像情報の読み出しと並行して画質補正処理部５８による画質補正処理も行われる。
【００６３】
次のステップ１３４では信号検出補正部２２から画像データを取得し、取得した画像データを２回目の撮影で得られた画像データとして記憶部２４Ａ等に記憶させる。またステップ１３６では、記憶部２４Ａに記憶されている１回目の撮影で得られた画像データ及び２回目の撮影で得られた画像データに対して互いに異なる所定の重みを付けて差分を演算することで、エネルギーサブトラクション画像を生成し、生成したエネルギーサブトラクション画像をディスプレイ２６に表示させる。またステップ１３８では、メモリに保持している現在の撮影条件情報のうち診断用画像を規定する情報に基づいて、１回目の撮影で得られた画像及び２回目の撮影で得られた画像のうち診断用として適切な画像を判断し、判断した画像を診断用画像としてディスプレイ２６に表示させ処理を終了する。なお、ステップ１３６，１３８において、利用者によってディスプレイ２６への表示が指示された場合に画像を表示させるようにしてもよい。
【００６４】
また、撮影条件の設定画面やフローは上記に限定されるものではなく、撮影部位は先に決めておき、管電圧と撮影時間間隔のみ設定できるようにしてもよい。
【００６５】
表１に示す各撮影部位のうち、胸部は、不随意筋によって働く心臓等が撮影範囲内に入るので、撮影時間間隔がモーションアーチファクトに及ぼす影響の度合いが大きい。また、胸部の放射線撮影では、診断用画像として、放射線の線量や管電圧が異なる複数回の撮影によって得られる複数の画像のうち、より高管電圧の放射線で撮影した画像が適している。上記に基づき本実施形態では、表１に示すように、胸部については２回目の撮影で得られる画像を診断用画像にすると共に、かつ１回目の撮影で得られる画像を診断等に用いないことから１回目の撮影における画質補正処理を「無し」に設定しており、１回目の撮影における放射線の線量が比較的小さいこと、及び、１回目の撮影における画質補正処理を「無し」に設定していることに基づき、表１にも示すように、胸部を撮影する場合の撮影時間間隔を他の撮影部位よりも大幅に小さくしている。これにより、エネルギーサブトラクション画像のモーションアーチファクトを低減することができる。また、２回目の撮影における画質補正処理を「有り」に設定していることで、診断用画像としても高画質の画像が得られる。
【００６６】
一方、表１に示す各撮影部位のうち胸部以外の各撮影部位（腰椎、四肢骨、乳房等）は、不随意筋によって働く器官が撮影範囲内に入らないので、撮影時間間隔がモーションアーチファクトに及ぼす影響の度合いは小さい。また、これらの撮影部位の放射線撮影では、診断用画像として、放射線の線量や管電圧が異なる複数回の撮影によって得られる複数の画像のうち、より低管電圧の放射線で撮影した画像が適している。上記に基づき本実施形態では、表１に示すように、胸部以外の各撮影部位については１回目の撮影で得られる画像を診断用画像にすると共に、１回目の撮影における画質補正処理を「有り」に設定しており、１回目の撮影における放射線の線量が比較的大きいこと、及び、１回目の撮影における画質補正処理を「有り」に設定していることに基づき、表１にも示すように、撮影時間間隔を胸部よりも大幅に大きくしている。これにより、診断用画像として高画質の画像が得られる。また、胸部以外の各撮影部位は撮影時間間隔がモーションアーチファクトに及ぼす影響の度合いが小さく、例えば撮影部位を外部から保持したり、被撮影者に対して撮影部位を動かさないように要請する等の別の手段により、エネルギーサブトラクション画像のモーションアーチファクトを低減することができる。
【００６７】
なお、上記では本発明をエネルギーサブトラクション画像の生成に適用した態様を説明したが、本発明はこれに限定されるものではなく、複数回の撮影における放射線の線量や管電圧を一定とし、コマ送り様の動画（セミ動画）を撮影する場合に本発明を適用することも可能である。
【００６８】
動画撮影では一連の動きを解析して診断したいという要望がある。この動きの解析についても撮影部位によって必要な撮影間隔は異なる。例えば胸部では呼吸による肺の動きを動画で見て診断するなどの用途が考えられる。肺の動きは短い時間間隔の画像で動きを詳細に見たいという要求が高いため、撮影時間間隔を短くすることが考えられる。一方、腰椎や四肢骨では動画により関節や骨の動きが正常かどうかを判断するなどの用途が考えられる。これらの動きはそれほど短い時間間隔で見る必要はなく、呼吸などに比べて患者によるコントロールもし易いため、撮影時間間隔は長くてもよい。また胸部は高管電圧撮影のため撮影時間を短くし易い。よって胸部では撮影時間間隔を短くし、腰椎や四肢骨では撮影時間間隔を長くすることで、各部位に適した画像を提供することができる。
【００６９】
また、上記では本発明に係る画像検出手段の一例として、照射された放射線を電荷へ直接変換する光電変換層が設けられた放射線検出パネル１４を説明したが、これに限定されるものではなく、画像検出手段のうち照射された放射線を電荷へ変換する光電変換部は、照射された放射線を電磁波（例えば可視光等）へ一旦変換した後に、変換後の電磁波を電荷へ変換する構成（間接変換方式）であってもよい。また上記では、光電変換層がＴＦＴアクティブマトリクス基板３４上に形成された構成を説明したが、上記の光電変換部は、蓄積容量及びスイッチング手段を各々備えた複数の画素部が配列された基板と別体であってもよい。
【００７０】
また、上記では多数個の画素部４０（ＴＦＴ３８や蓄積容量３６）がマトリクス状に（２次元に）配置された構成の放射線検出パネル１４を例に説明したが、これに限定されるものではなく、放射線検出パネルは複数個の画素部が一列に（１次元に）配置された構成であってもよい。
【００７１】
また、上記では本発明に係る放射線発生手段が発生する放射線の一例としてエックス線を記載したが、本発明はこれに限定されるものではなく、画像検出手段で電荷へ変換されて蓄積容量にその電荷が蓄積されるものであれば、例えば電子線やα線等の他の放射線であってもよい。
【図面の簡単な説明】
【００７２】
【図１】本実施形態に係る放射線画像撮影システムの概略構成を示すブロック図である。
【図２】放射線検出パネル及び信号検出補正部の概略構成図である。
【図３】制御部によって行われる連続撮影処理の内容を示すフローチャートである。
【図４】撮影条件設定画面の一例を示すイメージ図である。
【符号の説明】
【００７３】
１０  放射線画像撮影システム
１２  放射線発生部
１４  放射線検出パネル
１６  制御装置
２０  放射線発生制御部
２２  信号検出補正部
２４Ａ  記憶部
２４  制御部
５８  画質補正処理部
【図１】
0005042887.tif 000003
【図２】
0005042887.tif 000004
【図３】
0005042887.tif 000005
【図４】
0005042887.tif 000006